(57)【特許請求の範囲】
【請求項１】
魚を高密度に飼育する周囲を囲まれた飼育場所に設置される養殖用給餌装置であって、餌を収容すると共に餌を送り出す餌供給部と、餌供給部から送られた餌を受ける餌受け部と、餌受け部から側方へ突出して形成され飼育場所に餌を吐出する餌吐出口を先端に有する餌供給ノズルと、餌受け部を中心にして餌供給ノズルを水平回転させる回転駆動部とを備え、飼育場所に設定される複数箇所のポイントにおいて、一つのポイントを中心にして所定エリア内で餌供給ノズルを往復回動させながら餌を吐出させた後に、他のポイントに餌供給ノズルを移動させてこのポイントを中心にして所定エリア内で餌供給ノズルを往復回動させながら餌を吐出させるように、回転駆動部を作動させる制御部を具備して成ることを特徴とする養殖用給餌装置。
【請求項２】
餌供給部、餌受け部、餌供給ノズルの餌吐出口の順に高い位置から低い位置に配置されており、餌は餌供給部から餌受け部、餌供給ノズルへと自然落下して移動すると共に餌吐出口から吐出されるようにしたことを特徴とする請求項１に記載の養殖用給餌装置。
【発明の詳細な説明】
【０００１】
【発明の属する技術分野】
本発明は、飼育水槽など魚を高密度に飼育する飼育場所において、餌を自動的に供給する給餌装置に関するものである。
【０００２】
【従来の技術】
飼育水槽など周囲を囲まれた飼育場所で魚を高密度に養殖あるいは一時的に蓄養する場合、魚に給餌するために飼育場所に餌を供給することは必須の事項である。そして餌を供給するにあたって、飼育場所に自動的に餌を供給する給餌装置が用いられることが多い。このような給餌装置としては、餌を飼育場所の一箇所に落下させて供給するようにしたものが一般的である。
【０００３】
【発明が解決しようとする課題】
しかし、このように飼育場所の所定の一箇所に餌を落下させて供給するようにすると、狭い面積に高密度で飼育する魚が餌の落下位置に集中し、魚の個体差によっては餌に近付けない魚が出てくる。そしてこのような餌に近付けない魚は餌の捕食量も少ないので成長が遅く、逆に常に餌を捕食できる魚はさらに大きく成長し、魚の個体差がますます大きくなり、魚を均一な大きさに飼育することが難しいという問題があった。
【０００４】
本発明は上記の点に鑑みてなされたものであり、飼育場所で飼育する総ての魚に均等に餌を捕食させることができる養殖用給餌装置を提供することを目的とするものである。
【０００５】
【課題を解決するための手段】
本発明の請求項１に係る養殖用給餌装置は、魚を高密度に飼育する周囲を囲まれた飼育場所１に設置される養殖用給餌装置であって、餌２を収容すると共に餌２を送り出す餌供給部３と、餌供給部３から送られた餌２を受ける餌受け部４と、餌受け部４から側方へ突出して形成され飼育場所１に餌２を吐出する餌吐出口５を先端に有する餌供給ノズル６と、餌受け部４を中心にして餌供給ノズル６を水平回動させる回転駆動部７とを備え、飼育場所１に設定される複数箇所のポイントにおいて、一つのポイント中心して所定エリア内で餌供給ノズル６を往復回動させながら餌２を吐出させた後に、他のポイントに餌供給ノズル６を移動させてこのポイントを中心にして所定エリア内で餌供給ノズル６を往復回動させながら餌２を吐出させるように、回転駆動部７を作動させる制御部８を具備して成ることを特徴とするものである。
【０００６】
また請求項２の発明は、餌供給部３、餌受け部４、餌供給ノズル６の餌吐出口５の順に高い位置から低い位置に配置されており、餌２は餌供給部３から餌受け部４、餌供給ノズル６へと自然落下して移動すると共に餌吐出口５から吐出されるようにしたことを特徴とするものである。
【０００８】
【発明の実施の形態】
以下、本発明の実施の形態を説明する。
【０００９】
図１は本発明の実施の形態の一例を示すものであり、魚を高密度に飼育する周囲を囲まれた飼育場所１として、平面が円形の飼育水槽１ａを用いるようにしてある。そしてこの飼育水槽１ａに餌を供給する給餌装置は餌供給部３、餌受け部４、餌供給ノズル６、回転駆動部７などを具備して形成してある。
【００１０】
餌供給部３は飼育水槽１ａの周囲の外側に配置してあり、飼育水槽１ａの外側に立設した基台１３の上端に設置してある。この餌供給部３は餌２を貯蔵する貯蔵タンク１４と、貯蔵タンク１４の下部から側方へ突出して設けられた筒状のシューター１５とから形成されるものであり、シューター１５は先部ほど下方に位置するように下り傾斜させてある。貯蔵タンク１４からシューター１５への出口には噴射装置１６が設けてあり、餌供給部３内の餌２を噴射してシューター１５に送り出すようにしてある。またこの噴出装置１６の代りに餌供給部３にシャッターを設け、シャッターを開くことによって餌供給部３からシューター１５に餌２を送り出すようにすることも可能である。このように貯蔵タンク１４内の餌２がシューター１５に入ると、餌２はシューター１５内を自重で自然落下し、シューター１５の先端に下方へ開口させて設けた落下口１７から下方へ落下して供給されるようになっている。
【００１１】
また飼育水槽１ａの中央部には基台１８が立設してあり、飼育水槽１ａの水面より上方に位置する基台１８の上端に回転駆動部７が設けてある。この回転駆動部７は電動機などで形成されるものであり、回動駆動される駆動軸１９が鉛直上方を向いて突出してある。そして駆動軸１９の上端部に餌受け部４が設けてある。餌受け部４は上面が開口する漏斗状に形成してあり、餌受け部４の上面の開口部に上記のシューター１５の落下口１７が臨ませてある。基台１８は上記の基台１３よりも低い高さに形成してあり、餌受け部４は餌供給部３よりも低い位置に配置されるようにしてある。
【００１２】
この餌受け部４の下端部から側方へ突出して筒状の餌供給ノズル６が設けてある。餌供給ノズル６は先部ほど下方に位置するように下り傾斜させてあり、餌供給ノズル６の先端に下方へ開口する餌吐出口５が形成してある。上記のようにシューター１５の先端の落下口１７から落下して餌２が餌受け部４に供給されると、この餌２は餌供給ノズル６内を自重で自然落下して流れ、餌供給ノズル６の先端の餌吐出口５から吐出されて下方へ落下するようになっている。このように、餌２は餌供給部３から餌受け部４へ、さらに餌受け部４から餌供給ノズル６を通して餌吐出口５へとその高低差による自然落下で供給されて吐出されるものであり、餌２を供給するための動力が不要になるものである。
【００１３】
そして上記の回転駆動部７を作動させて駆動軸１９を回動駆動させることによって、餌受け部４及び餌供給ノズル６を水平方向に３６０°の角度で無段階に左右いずれの方向にも回動させることができるものであり、餌供給ノズル６の先端の餌吐出口５は飼育水槽１ａの内側に沿って図２に示すような円軌跡Ｌで回動移動されるようにしてある。また回転駆動部７には位置センサーが内蔵してあり、回動軸１８の回動角度に対応して餌吐出ノズル６の回動の向きを検出し、餌吐出口５の回動位置を検知することができるようにしてある。ここで、餌供給部３と回転駆動部７にはＣＰＵ等を具備して形成される制御部８が電気的に接続してあり、餌供給部３の噴出装置１６の作動や、回転駆動部７の回動軸１８の回動駆動を制御部８によって制御することができるようにしてある。
【００１４】
上記のように形成される給餌装置にあって、回転駆動部７を作動させて餌供給ノズル６を回動し、餌供給ノズル６の先端の餌吐出口５を飼育水槽１ａの水面上に沿って移動させながら、餌供給部３の噴出装置１６を作動させて餌吐出口５から餌２を吐出させ、飼育水槽１ａの水面に餌２を落下させることによって、飼育水槽１ａの複数箇所において餌２を給餌することができるものである。このように飼育水槽１ａの複数箇所において餌２を給餌することによって、飼育水槽１ａの狭い面積に高密度で飼育される魚に餌２を捕食する機会が均等に与えられるものであり、従って餌２が供給された一箇所に魚が集中して餌２に近付けない魚がいても、この魚は他の個所に供給される餌２を捕食することができるものであり、捕食能力に差のある総ての魚に均等に餌２を給餌し、魚を均一な大きさに飼育することができるものである。
【００１５】
ここで、魚の餌捕食行動や、飼育水槽１ａの形状などに応じて、最も捕食効果が高い供給タイミング、供給位置で給餌をすることができるように、制御部８を設定してある。すなわち、位置センサーで餌吐出口５の回動位置を検知しながら回転駆動部７を作動させて餌供給ノズル６を回動させ、餌吐出口５の回動位置に応じて餌供給部３の噴出装置１６を作動させるようにプログラムした制御部８で制御することによって、最も捕食効果が高い供給タイミング、供給位置で給餌をするようにしてある。
【００１６】
図２はその一例を示すものであり、飼育水槽１ａ内において餌吐出口５の回動円軌跡Ｌに沿った複数箇所にエリアＡ、エリアＢ、エリアＣ、エリアＤが設定してある。エリアＡは最も広い範囲で設定してある。そして、まずエリアＡの中心のポイントに餌吐出口５を移動させるように回転駆動部７で餌供給ノズル６を回動し、このエリアＡ内において図２の矢印のように餌供給ノズル６を往復回動させ、餌吐出口５をエリアＡの範囲内で往復移動させながら餌供給部３の噴出装置１６を作動させることによって、餌供給部３内の餌２を餌受け部４及び餌供給ノズル６を介して餌吐出口５から吐出し、エリアＡの範囲で餌２を供給するようにしてある。餌吐出口５からの餌２の吐出量は餌供給部３の噴出装置１６を作動させている時間に比例するので、噴出装置１６を作動させる時間を制御部８で制御することによって、給餌量を制御することができるものであり、また給餌をしている間、餌供給ノズル６を往復回動させるようにして、一定箇所に餌２が集中して供給されないようにしてある。魚の大半は、最初の給餌エリアであるエリアＡに群れになって集まり、餌２を捕食するが、ある程度給餌をした後、餌供給部３の噴出装置１６の作動を停止すると共に餌供給ノズル６を回動させて、エリアＡからエリアＢの中心のポイントに餌吐出口５を回動移動させ、餌吐出口５をエリアＢの範囲内で往復移動させながら餌供給部３の噴出装置１６を作動させて餌２を餌吐出口５から吐出し、所定の設定された時間給餌を行なう。エリアＢでは、エリアＡでの給餌に気が付かなかった魚や、エリアＡで餌２を捕食できなかった魚が集まって、餌２を捕食することができる。エリアＢで給餌をした後、再び上記と同様にしてエリアＡで給餌をし、この後、エリアＣ、さらにエリアＤに餌供給ノズル６を回動移動させて、上記と同様にして給餌を行なうようにしてある。このとき、エリアから他のエリアに餌供給ノズル６を回動移動させている間は、餌供給部３の噴出装置１６の作動を停止して餌２が餌吐出口５から吐出されないようにし、餌２につられて魚が移動しないようにするのがよい。
【００１７】
上記の図２の一例をさらに具体的に説明すると、まずエリアＡで餌供給ノズル６を３０〜６０°の角度範囲で回動させ、餌供給部３の噴出装置１６を１分間作動させることによって餌吐出口５からエリアＡに給餌する。このときの餌供給ノズル６の回動速度は６°／秒〜１２°／秒の低速に設定してある。１分間の給餌後、餌供給部３の噴出装置１６の作動を停止して、餌供給ノズル６を２４°／秒〜４８°／秒の高速で回動させてエリアＢに移動させ、エリアＢで餌供給ノズル６を３０〜６０°の角度範囲で回動させながら、餌供給部３の噴出装置１６を１分間作動させて餌吐出口５からエリアＢに給餌する。エリアＢで給餌後、餌供給部３の噴出装置１６の作動を停止して、餌供給ノズル６を高速で回動させて再びエリアＡに移動させ、エリアＡで餌供給ノズル６を３０〜６０°の角度範囲で低速回動させながら１分間給餌する。この後、餌供給部３の噴出装置１６の作動を停止して、餌供給ノズル６を高速で回動させてエリアＣに移動させ、エリアＣで餌供給ノズル６を３０〜６０°の角度範囲で低速回動させながら３０秒間給餌する。さらにこの後、餌供給部３の噴出装置１６の作動を停止して、餌供給ノズル６を高速で回動させてエリアＤに移動させ、エリアＤで餌供給ノズル６を３０〜６０°の角度範囲で低速回動させながら３０秒間給餌する。そしてこの後、餌供給部３の噴出装置１６の作動を停止して、餌供給ノズル６を高速で回動させてエリアＢに移動させ、エリアＢで餌供給ノズル６を３０〜６０°の角度範囲で低速回動させながら１分秒間給餌する。これを１サイクルとするパターンで３サイクル、合計１５分間給餌を行なって、給餌を終了するものである。
【００１８】
尚、魚の捕食行動によっては、餌供給ノズル６を６°／秒〜１２°／秒の低速で連続して一定方向に回動させながら、餌供給部３の噴出装置１６を連続して作動させ、連続給餌を行なうようにしてもよい。
【００１９】
【発明の効果】
上記のように本発明の請求項１に係る養殖用給餌装置は、魚を高密度に飼育する周囲を囲まれた飼育場所に設置される養殖用給餌装置であって、餌を収容すると共に餌を送り出す餌供給部と、餌供給部から送られた餌を受ける餌受け部と、餌受け部から側方へ突出して形成され飼育場所に餌を吐出する餌吐出口を先端に有する餌供給ノズルと、餌受け部を中心にして餌供給ノズルを水平回転させる回転駆動部とを具備するので、回転駆動部で餌供給ノズルを回動して餌吐出口を移動させながら餌を吐出させることによって、飼育場所の複数箇所において給餌することができ、飼育場所の狭い面積に高密度で飼育される魚に餌を捕食する機会を均等に与えることができるものであり、捕食能力に差のある総ての魚に均等に餌を給餌し、魚を均一な大きさに飼育することができるものである。
また、飼育場所に設定される複数箇所のポイントにおいて、一つのポイントを中心にして所定エリア内で餌供給ノズルを往復回動させながら餌を吐出させた後に、他のポイントに餌供給ノズルを移動させてこのポイントを中心にして所定エリア内で餌供給ノズルを往復回動させながら餌を吐出させるように、回転駆動部を作動させる制御部を具備するので、魚の餌捕食行動や、飼育場所の形状などに応じて、最も捕食効果が高い供給タイミング、供給位置に設定して自動的に給餌をすることができるものである。
【００２０】
また請求項２の発明は、餌供給部、餌受け部、餌供給ノズルの餌吐出口の順に高い位置から低い位置に配置されており、餌は餌供給部から餌受け部、餌供給ノズルへと自然落下して移動すると共に餌吐出口から吐出されるようにしたので、給餌を行なうにあたって餌を吐出させるための駆動力を必要としないものであり、装置をコスト安価に形成することができるものである。
【図面の簡単な説明】
【図１】本発明の実施の形態の一例を示す正面断面図である。
【図２】同上の給餌の状態を示す平面図である。
【符号の説明】
１  飼育場所
２  餌
３  餌供給部
４  餌受け部
５  餌吐出口
６  餌供給ノズル
７  回転駆動部
８  制御部
【図１】
0003887216.tif 000002
【図２】
0003887216.tif 000003